(57)【特許請求の範囲】
【請求項１】
本体背面で配管を壁面貫通させて配置され、かつ前記本体が壁掛け時に上下方向に回動支持される壁掛け形空気調和機において、
前記本体を構成するベース下部の配管収容凹部内の底壁奥に支持軸により前記本体の上下方向の回動に対し直交する方向に回動可能に支持され、壁掛け時に本体を支える位置に回動可能で、かつ不使用時に前記凹部内位置に収容可能な所定長さのサポートを設置してなることを特徴とする壁掛け形空気調和機。
【発明の詳細な説明】
【０００１】
【発明の属する技術分野】
本発明は、本体背面で配管を壁面貫通させて設置する壁掛け形空気調和機に関するものである。
【０００２】
【従来の技術】
最近、いわゆるエアコンで代表される空気調和機の普及は目覚ましいものがあり、各家庭に多く設置されるようになっている。
【０００３】
ところで、このような空気調和機は、冷暖房のためのエアを吹き出すための室内ユニットと、冷暖房に必要な熱源を生成するための室外ユニットから構成している。このうちの室内ユニットは、部屋の壁面などに据え付けられるが、この据え付けの際、ユニット背面から導出される接続配管・配線を室外に設置される室外ユニットに接続するための作業が必要となる。
【０００４】
この場合、室内ユニットを据え付ける壁面に設けられた貫通穴を通して接続配管・配線を室外に導出することになるが、この際、ユニット背面の接続配管・配線の導出部に貫通穴が一致していれば、さほど問題にならないが、仮に接続配管・配線の導出部と反対側に貫通穴が位置するような場合は、接続配管・配線を室内ユニットの背部を横切って反対側まで引き回して貫通穴より室外に導出すようにしている。
【０００５】
そこで、従来では、このような場合、図４（ａ）に示すように室内ユニット１の上部を、壁面２に設けた据え付け板３に引っ掛けて、室内ユニット１の下部を浮かせ、この状態から接続配管・配線を室内ユニット１の後部を横切って反対側まで引き回す作業を行い、その後に同図（ｂ）に示すように室内ユニット１下部の浮きを戻して据え付け板３に固定するようにしている。
【０００６】
しかして、従来、このような室内ユニット１は、図５に示すように構成したものがある。この場合、ユニットベース５前面にフロントパネル６を設けている。このフロントパネル６は、前面および上面にエア吸い込み口６１を有し、また、前面の下部にエア吹き出し口６２を有している。
【０００７】
また、このフロントパネル６の内側に、エアフィルタ７を介して熱交換器８を配置し、さらに、この熱交換器８の内側にクロスフローファン９を配置していて、この熱交換器８で生成される冷暖房のためのエアをクロスフローファン９の回転によりフロントパネル６のエア吹き出し口６２より吹き出すようにしている。なお、１０は、エア吹き出し口６２より吹き出されるエアの方向を可変するためのルーバである。
【０００８】
そして、このように構成した室内ユニット１のユニットベース５後部の真中付近にサポート１１を設けている。このサポート１１は、取り付け部５１に上下方向に回動自在に支持されており、上述した接続配管・配線の引き回し作業を要する場合は、サポート１１を図示時計方向に回動して図示実線の起立状態にして、サポート１１先端を据え付け板に突き当てることで、室内ユニット１の下部を浮かせるようにする。そして、その後の作業の終了を待って、サポート１１を図示反時計方向に回動させて、図示破線の倒した状態に戻すようにしている。
【０００９】
【発明が解決しようとする課題】
ところが、このような構成によると、サポート１１を取り付けるユニットベース５の取り付け部５１は、ユニットベース５後部の真中付近に設けられるため、特に、作業終了によりサポート１１を倒した状態に戻すには、手を奥の方まで差し込むとともに、サポート１１を上方向に回動操作しなければならないため、作業性が悪く、また、このような作業は、室内ユニット１後部を横切る接続配管・配線の上部の狭い空間で行わなければならないため、さらに作業性が悪化するという問題点があった。
【００１０】
本発明は、上記事情に鑑みてなされたもので、サポート操作のための作業性を改善できる壁掛け形空気調和機を提供することを目的とする。
【００１１】
【課題を解決するための手段】
請求項１記載の発明は、本体背面で配管を壁面貫通させて配置され、かつ前記本体が壁掛け時に上下方向に回動支持される壁掛け形空気調和機において、
前記本体を構成するベース下部の配管収容凹部内の底壁奥に支持軸により前記本体の上下方向の回動に対し直交する方向に回動可能に支持され、壁掛け時に本体を支える位置に回動可能で、かつ不使用時に前記凹部内位置に収容可能な所定長さのサポートを設置するように構成している。
【００１３】
この結果、本発明によれば、本体の配管収容凹部のデッドスペースを利用してサポートが設けられ、かかるサポートの回動操作を配管などと干渉しない比較的広い空間で行なうことができるので、据付けの際におけるサポート操作のための作業性が改善される。
【００１４】
また、本発明によれば、据付けの際に本体を持ち上げて上方向に回動させた状態で、サポートを水平方向に引き出し、また、押し込むように回動操作できるので、サポートのセット、リセットのための操作をさらに簡単なものにできる。
【００１５】
【発明の実施の形態】
以下、本発明の一実施の形態を図面に従い説明する。
【００１６】
図１は、本発明が適用される室内ユニットを後方から見た図を示している。図において、２１は室内ユニットで、この室内ユニット２１は、ユニットベース２１１の後面下部に接続配管・配線２２を収容する配管収容凹部２１２を形成している。この配管収容凹部２１２に収容された接続配管・配線２２は、壁面の貫通穴（図示せず）を通って室外に導出されるもので、この貫通穴が接続配管・配線２２の導出部と反対側に位置する場合は、図示のように配管収容凹部２１２に沿って配置されるようになっている。
【００１７】
そして、この室内ユニット２１は、壁面に設けられた据え付け板２３に取り付けられる。この場合、室内ユニット２１は、ユニットベース２１１上部を据え付け板２３の引っ掛け部２３１に引っ掛けて上下方向に回動可能にした状態から、接続配管・配線２２の室内ユニット２１などの引き回し作業などを行った後に、据え付け板２３に固定するようにしている。
【００１８】
図２は、このような室内ユニット２１の概略構成を示している。この場合、ユニットベース２１１前面にフロントパネル２４を設けている。このフロントパネル２４は、前面および上面にエア吸い込み口２４１を有し、また、前面の下部にエア吹き出し口２４２を有している。
【００１９】
このフロントパネル２４の内側には、エアフィルタ２５を介して熱交換器２６を配置し、さらに、この熱交換器２６の内側にクロスフローファン２７を配置していて、この熱交換器２６で生成される冷暖房のためのエアをクロスフローファン２７の回転によりフロントパネル２４のエア吹き出し口２４２より吹き出すようにしている。なお、２８は、エア吹き出し口２４２より吹き出されるエアの方向を可変するためのルーバである。
【００２０】
ユニットベース２１１の後面下部に配管収容凹部２１２を有し、この配管収容凹部２１２に接続配管・配線２２を収容している。また、この配管収容凹部２１２の底壁奥に、所定長さのサポート２９を回転可能に支持している。
【００２１】
図３は、このようなサポート２９の支持構造を拡大して示すもので、ユニットベース２１１の配管収容凹部２１２内の底壁奥部に突出部２１３を形成し、この突出部２１３に支持軸２９１によりサポート２９の基端部を回転可能に支持している。この場合、室内ユニット２１が据え付け板２３の引っ掛け部２３１に引っ掛けられて上下方向に回動可能になるのに対して、サポート２９は、室内ユニット２１の上下方向の回動に直交する方向、つまり水平方向に回動するようになっている。
【００２２】
しかして、このような構成とすると、サポート２９は、常時、配管収容凹部２１２内にしまわれている。そして、据付け時の壁面の貫通穴の位置の関係から接続配管・配線２２の引き回し作業を必要とする場合は、サポート２９を水平方向に回動させながら配管収容凹部２１２内から引き出し、図示状態まで突設させ、この状態で、サポート２９先端を据え付け板２３面に突き当てることで、室内ユニット２１の下部を浮かせるようにする。そして、その後の作業の終了を待って、再びサポート２９を水平方向に回動させ、配管収容凹部２１２内に収納するようになる。
【００２３】
従って、このようにすれば室内ユニット２１のユニットベース２１１の後面下部に形成された、接続配管・配線２２を収容する配管収容凹部２１２の底壁奥に、支持軸２９１を介してサポート２９を回転可能に支持するようになっていて、室内ユニット２１の据付け時には、室内ユニット２１を支える位置に回動させて、室内ユニット２１下部を浮かせるように支持し、サポート２９の不使用時には、配管収容凹部２１２内に収納できるので、ユニットベース２１１の後面下部の接続配管・配線２２を収容するための配管収容凹部２１２のスペースを有効に利用してサポート２９が設けられ、これによりサポート２９の回動操作を接続配管・配線２２などと干渉しない比較的広い空間で行うことができるようになり、サポート操作のための作業性を大幅に改善することができる。
【００２４】
また、据付けの際に、室内ユニット２１を持ち上げて上方向に回動させた状態で、サポート２９を水平方向に引き出し、または押し込むように回動操作できるので、サポート２９のセット、リセットのための操作をさらに簡単なものにできる。
【００２５】
【発明の効果】
以上述べたように、本発明によれば、本体の配管収容凹部のデッドスペースを利用してサポートが設けられ、サポートの回動操作を配管などと干渉しない比較的広い空間で行うことができるので、サポート操作のための作業性を大幅に改善することができる。
【００２６】
また、据付の際に本体を持ち上げて上方向に回動させた状態で、サポートを水平方向に引き出し、または押し込むように回動操作できるので、サポートのセット、リセットのための操作をさらに簡単にできる。
【図面の簡単な説明】
【図１】  本発明の一実施の形態が適用される室内ユニットを後方から見た図。
【図２】  一実施の形態の室内ユニットの概略構成を示す図。
【図３】  一実施の形態のサポートの支持構造を拡大して示す図。
【図４】  壁掛け形空気調和機の室内ユニットの据え付け作業を説明するための図。
【図５】  従来の壁掛け形空気調和機の室内ユニットの概略構成を示す図。
【符号の説明】
２１…室内ユニット、
２１１…ユニットベース、
２１２…配管収容凹部、
２１３…突出部、
２２…接続配管・配線、
２３…据え付け板、
２３１…引っ掛け部、
２４…フロントパネル、
２４１…エア吸い込み口、
２４２…エア吹き出し口、
２５…エアフィルタ、
２６…熱交換器、
２７…クロスフローファン、
２８…ルーバ、
２９…サポート、
２９１…支持軸。
【図１】
0003664795.tif 000002
【図２】
0003664795.tif 000003
【図３】
0003664795.tif 000004
【図４】
0003664795.tif 000005
【図５】
0003664795.tif 000006